(57)【要約】【課題】窓枠本体に複層透明板がワンタッチ式に取り付けられ、作業が簡単であるばかりか時間も掛からず作業性に優れ、更には、複層透明板を誤って落とし破損させるといった事故も未然に防止できる弾球遊技機の窓枠を提供する。【解決手段】遊技盤５の前面を覆いかつ該遊技盤５の遊技部５ａが臨む窓口１９を開設した窓枠本体１７と該窓枠本体１７の裏面に取着され透明板２８により前記窓口１９を塞ぐようにした複層透明板１８とからなり、前記窓枠本体１７の裏面上部又は複層透明板１８の前面上部の一方に係合部２３を設けると共に他方に該係合部２３と係脱自在に係合する被係合部３３を設け、また、前記窓枠本体１７の裏面下部に複層透明板１８の下縁部を保持する保持部２４を設けた構成からなる。【選択図】図７
2005319219.tif 000002
【特許請求の範囲】
【請求項１】
遊技盤の前面を覆いかつ該遊技盤の遊技部が臨む窓口を開設した窓枠本体と該窓枠本体の裏面に取着され透明板により前記窓口を塞ぐようにした複層透明板とからなり、前記窓枠本体の裏面上部又は前記複層透明板の前面上部の一方に係合部を設けると共に他方に該係合部と係脱自在に係合する被係合部を設け、また、前記窓枠本体の裏面に前記複層透明板の周縁部を下側から保持する保持部を設けたことを特徴とする弾球遊技機の窓枠。
【請求項２】
前記窓枠本体の裏面又は前記複層透明板の前面の一方に前記窓口の外周を囲うようにして環状の凹溝部を設けると共に他方に該環状の凹溝部に嵌入する環状リブを設け、前記環状の凹溝部と前記環状リブにより前記窓枠本体の裏面と前記複層透明板の前面との隙間から挿入されるセル板等の不正具の侵入を阻止するようにした請求項１記載の弾球遊技機の窓枠。
【発明の詳細な説明】
【技術分野】
【０００１】
この発明は、遊技盤の前面を覆いかつ該遊技盤の遊技部が臨む窓口を開設した窓枠本体と該窓枠本体の裏面に着脱自在に取着され前記窓口を塞ぐようにした複層透明板とからなる弾球遊技機の窓枠に関するものである。
【背景技術】
【０００２】
弾球遊技機の一種であるパチンコ遊技機であってこの種窓枠を有するものは、例えば、次のような構成からなる。すなわち、このパチンコ遊技機は、外枠の一側に開閉自在に設けられる内枠に遊技盤が配設され、その内枠の前面に遊技盤の遊技部が臨む窓口を開設した合成樹脂製の窓枠が軸着されている。この窓枠は、遊技盤の前面を覆い窓口を有する窓枠本体と該窓枠本体の裏面に着脱自在に取着され前記窓口を塞ぐ複層透明板とからなる。更に、詳しく説明すると、前記窓枠本体の裏面であって窓口には複層透明板が複数の止め金具を介してビス止めされている（例えば、特許文献１参照。）。
【特許文献１】特開平９−７１８号公報（第３頁段落００１０、図１）
【発明の開示】
【発明が解決しようとする課題】
【０００３】
このように、前記特許文献１におけるパチンコ遊技機は、複層透明板を窓枠の裏面に複数の止め金具を介していちいちビス止めすることによって取り付けているので、その取付作業が非常に面倒であるばかりか、多くの時間を要し作業性が極めて悪いという課題がある。しかも、ビス止めする際、初めは片手で複層透明板を下から支えてなくてはならず、このため、ともすると複層透明板が手から滑り落ちて該複層透明板を破損させてしまうといった危険性があり、慎重に作業を進めなくてはならないという課題がある。
【０００４】
そこで、本発明は上記課題を解決すべくなされたもので、複層透明板が窓枠本体にワンタッチ式に取り付けられ、作業が簡単であるばかりか時間も掛からず作業性に優れ、更には、複層透明板を誤って落とし破損させるといった事故も未然に防止できる弾球遊技機の窓枠を提供することを目的とするものである。
【課題を解決するための手段】
【０００５】
かかる目的を達成するため本発明に係る弾球遊技機の窓枠は、遊技盤の前面を覆いかつ該遊技盤の遊技部が臨む窓口を開設した窓枠本体と該窓枠本体の裏面に取着され透明板により前記窓口を塞ぐようにした複層透明板とからなり、前記窓枠本体の裏面上部又は前記複層透明板の前面上部の一方に係合部を設けると共に他方に該係合部と係脱自在に係合する被係合部を設け、また、前記窓枠本体の裏面に前記複層透明板の周縁部を下側から保持する保持部を設けた構成からなる。
【０００６】
また、この場合、前記窓枠本体の裏面又は前記複層透明板の前面の一方に窓口の外周を囲うようにして環状の凹溝部を設けると共に他方に該環状の凹溝部に嵌入する環状リブを設け、環状の凹溝部と環状リブにより窓枠本体の裏面と複層透明板の前面との隙間から挿入されるセル板等の不正具の侵入を阻止するようにした構成を採ることが好ましい。
【発明の効果】
【０００７】
本発明は、窓枠本体の裏面上部又は複層透明板の前面上部の一方に係合部を設けると共に他方に該係合部と係脱自在に係合する被係合部を設け、また、窓枠本体の裏面下部に複層透明板の周縁部を下側から保持する保持部を設けてなる。よって、複層透明板を窓枠本体の裏面に配置すると共にその周縁部を窓枠本体の保持部に下側から保持させた状態で、複層透明板を窓枠本体側へ押し付けるのみで係合部と被係合部が係合して複層透明板が取着できる。このようにして複層透明板が窓枠本体にワンタッチ式に取り付けられるので、作業が簡単であるばかりか時間も掛からず作業性に優れる。更には、初めに複層透明板の周縁部を窓枠本体の保持部に保持させるので、複層透明板を誤って落とし破損させるといった事故も未然に防止できるという有益な効果を奏する。
【０００８】
また、窓枠本体の裏面又は複層透明板の前面の一方に窓口の外周を囲うようにして環状の凹溝部を設けると共に他方に該凹溝部に嵌入する環状リブを設けるようにすれば、窓枠本体の裏面と複層透明板の外周縁の表面との間の隙間から内側へセル板といった不正具を差し込もうとしても、環状リブが凹溝部内に嵌入したままとなっていることから、通路が複雑となって不正具の先端が環状の凹溝部内で支えて通過できず、それ以上の侵入が阻止される。これにより、故意に入賞球を発生させるという不正行為が未然に防止される。
【発明を実施するための最良の形態】
【０００９】
以下、本発明に係る弾球遊技機の窓枠の実施の形態を図面に基づき説明する。弾球遊技機にはパチンコ遊技機、雀球遊技機、アレパチ機、アレンジボール機があり、本発明はいずれにも適用できるが、この内、パチンコ遊技機について説明する。
【００１０】
図１は本発明が適用されるパチンコ遊技機の正面図、図２は同窓枠を開いた状態の斜視図である。図において、１はパチンコ遊技機Ｐにおける木製の外枠であって縦長方形枠状に成形される。その前面に内枠２がその一側上下部を前記外枠１の一側上下部に設けた軸支部３，３に軸支して回動自在に装着される。前記内枠２にはその中央に大きな開口４が成形される。そして、内枠２の裏側に遊技盤５が配設され、前記開口４に遊技盤５の遊技部５ａが臨むようになっている。内枠２の上部前面に遊技盤５の前面を覆う窓枠６が回動自在に軸着される。また、その下方には内枠２の下部前面に位置して前板７が配置され、その前面に発射位置（図示せず。）へ供給される弾球としてのパチンコ球を貯留する打球供給皿８が装着される。また、その下方に下部前板９が配置され、その前面に前記打球供給皿８から溢れるパチンコ球を貯留する余剰球貯留皿１０とその一側に位置し打球の打球力を調節するための操作ハンドル１１がそれぞれ装着される。
【００１１】
前記遊技盤５の前面には、遊技部５ａを囲うように内側ガイドレール１２ａと外側ガイドレール１２ｂとが渦巻き状に配設される。前記遊技部５ａには、ほぼ中央に表示部１３ａを備えた可変表示装置１３が配置され、また、その下方にパチンコ球の入賞により前記表示部１３ａの文字、数字、図形等の情報を変動表示させる始動入賞口１４が配置される。更に、その下方に位置して前記変動した情報が一定の時間経過後に停止して特定の表示（例えば、「７７７」）を示し、遊技者にとって有利な特別遊技状態になったとき、一定の条件の下で開閉扉１５ａを所定回数開成させて一度に多くの入賞球が得られる入賞装置１５が配置される。また、１６,１６はその両側に配設される一般入賞口である。
【００１２】
次に、前記窓枠６について詳しく説明する。窓枠６は、図３、図４に示すように窓枠本体１７と該窓枠本体１７の裏面に着脱自在に取着される複層透明板１８とからなる。窓枠本体１７は、ほぼ正方形状であって合成樹脂材により一体に成形されている。このように、窓枠本体１７が合成樹脂材の一体成形により成形されるので、その製作コストが安くなる。そして、その中央部にほぼ円形状の窓口１９が開設される。この窓口１９に前記遊技盤５の遊技部５ａが臨み、窓枠６の前側から前記遊技部５ａが視認できるようになっている。
【００１３】
窓枠本体１７前面の上部両側に透光性の装飾部材２０が取り付けられ、各装飾部材２０の内部には、窓枠本体１７側に取り付けられる配線基板２１が配置され、その前面に発光体であるＬＥＤ（図示せず。）が設けられる。そして、各ＬＥＤが発光することにより、各装飾部材２０が所定の色に点灯して電飾効果を高めるようにしている。発光体としてはランプであっても良い。図示は省略するが、前記配線基板２１は窓枠本体１７の前面に取り付けられる以外に、窓枠本体１７の裏側に配線基板２１を配置すると共に窓枠本体１７にこれと対応位置させて透孔を開設し、該透孔を介して装飾部材２０を点灯させるようにしても良い。または、内枠２の前面に前記配線基板２１を取り付け、同様に前記透孔を介して装飾部材２０を点灯させるようにしても良い。
【００１４】
窓枠本体１７の裏面には、窓口１９の内周縁に沿ってほぼ円形の環状内リブ１７ａが周設され、方形状の外周縁にその外周縁に沿って周縁リブ１７ｂが一体に設けられている。また、前記窓口１９の環状内リブ１７ａの外側に同心状に環状リブとしての環状中リブ１７ｂと環状外リブ１７ｃとがほぼ等間隔に周設されている。この内、図６に示すように環状内リブ１７ａよりも環状中リブ１７ｂが少し高く、更に、環状中リブ１７ｂよりも環状外リブ１７ｃが高くなっている。また、環状中リブ１７ｂの上端部は所定の間隔切り欠かれており、これに対応する環状外リブ１７ｃには水平部２２が設けられている。
【００１５】
そして、前記水平部２２と環状内リブ１７ａとの間の中央部に窓枠本体１７の裏面から後方へ水平に突出する係合部としての係合片２３が設けられる。この係合片２３は弾力性を有し、後端部に下向きの爪片２３ａが設けられる。また、この爪片２３ａは、後方へ比較的長く伸びており、指先で摘めるようになっている。また、環状中リブ１７ｂと環状外リブ１７ｃとの間の下側であって両側には後方へ突出する保持部としての弧状の受止板２４，２４が設けられる。各受止板２４先端縁の上面にはその先端縁に沿って突条２５が設けられる。各突条２５の内面は横断面が円弧状に成形されている。これは後記するように、複層透明板１８の下縁部が各受止板２４に保持され易くするためである。
なお、窓枠本体１７の下部両側には、所定形状の透孔２６，２６が開設される。これは、この透孔２６を介して遊技盤５の前面に貼られた証紙（図示せず。）を見られるようにするためである。
【００１６】
一方、複層透明板１８は、合成樹脂製のほぼ円環状の保持枠２７と該保持枠２７の表裏面に所定の間隔離して取り付けられる二枚のほぼ円形の透明板であるガラス板２８，２８から構成される。保持枠２７は、図６に示すようにその内周縁の表裏部に環状切欠部２９が設けられ、各環状切欠部２９にそれぞれ１枚ずつガラス板２８が嵌入され固定される。通常、前記各環状切欠部２９の内周面に接着剤を塗布しておき、各ガラス板２８が接着される。各表裏側のガラス板２８，２８の表裏面と保持枠２７の表裏面はいずれも面一になっている。これにより、両ガラス板２８，２８間には密閉された空洞部３０が成形される。前記透明板は合成樹脂材であっても良い。
【００１７】
前記保持枠２７の外周端面にはその前端縁に沿って環状鍔部３１が周設される。環状鍔部３１の前面は保持枠２７の前面と面一に成形され、該環状鍔部３１の前面に前記環状中リブ１７ｂが嵌入する同じく環状の凹溝部３２が周設されている。環状中リブ１７ｂは環状の凹溝部３２内に僅かな隙間しか生じない状態で嵌入する。また、環状鍔部３１の外径寸法は環状中リブ１７ｂの外径寸法よりも大きく環状外リブ１７ｃの外形寸法よりも少し小さく設定してある。これによって、複層透明板１８が環状外リブ１７ｃ内に嵌合することになる。保持枠２７の上端部には前記環状外リブ１７ｃの上端部に設けられた水平部２２の下方に嵌り込み、係合片２３と係合し得る被係合部としての係合凸部３３が設けられている。この係合凸部３３の上面はほぼ水平になる。
【００１８】
図示は省略するが、通常，前記両ガラス板２８，２８間の空洞部３０は密閉されるが、その内部に湿気が溜まると各ガラス板２８の内面が曇ってしまい、遊技がしづらいという状態がおこる危険性がある。そこで、前記係合凸部３３内を空洞状に成形すると共にその底部に前記空洞部３０と連通する小孔（図示せず。）を無数に開設し、その中に乾燥剤を収容しておくことが好ましい。
【００１９】
そこで、窓枠本体１７の裏側に、環状鍔部３１が前側を向くようにして複層透明板１８を配置し、両受止板２４，２４の上面に環状鍔部３１の周縁部を載せる。この状態で、複層透明板１８の上部を図８に示すように窓枠本体１７側へ押し付ければ、複層透明板１８の係合凸部３３が係合片２３の下側へ入り込み、係合凸部３３の後端縁が爪片２３ａに係合する。これにより、図５、図７に示すように複層透明板１８が窓枠本体１７に取着される。
【００２０】
このように、窓枠本体１７の裏面に複層透明板１８を配置すると共に窓枠本体１７側へ押し付けるだけで複層透明板１８がワンタッチ式に取り付けられるので、その作業が簡単であるばかりか時間も掛からず作業性に優れる。また、初めに複層透明板１８の周縁部を窓枠本体１７の各受止板２４に下側から保持させるようにしたので、複層透明板１８を誤って落とし破損させるといった事故も未然に防止できる。
【００２１】
複層透明板１８が窓枠本体１７の裏面に取着された状態では、各受止板２４の突条２５が複層透明板１８の周縁部の裏面を押え、かつ、係合片２３の爪片２３ａが係合凸部３３の裏面を押えるので、複層透明板１８が窓枠本体１７にしっかりと密着する。また、図６に示すように窓枠本体１７の環状中リブ１７ｂが環状の凹溝部３２に嵌入しているので、仮に、窓枠本体１７の裏面と複層透明板１８の外周縁の前面との間の隙間から内側へセル板といった不正具を差し込もうとしても、前記環状中リブ１７ｂが環状の凹溝部３２内に嵌入したままとなっており、その通路が複雑となって不正具の先端が環状の凹溝部３２内で支えて通過できず、それ以上の侵入が阻止される。これにより、故意に入賞球を発生させるという不正行為が未然に防止されることになる。
【００２２】
例えば、複層透明板１８を交換するような場合、窓枠６を開けて裏側から爪片２３ａを引上げ、係合片２３と係合凸部３３との係合を解くのみで複層透明板１８を簡単に取り外すことができる。よって、複層透明板１８を交換する作業も簡単に行なえることになる。
【００２３】
本実施の形態では、窓枠本体１７に係合部である係合片２３を設け、複層透明板１８に被係合部である係合凸部３３を設けるようにしたが、図９に示すように複層透明板の保持枠２７の上端部に前側を向く係合部としての係合片２３−１を設け、これと対向させて窓枠本体１７に被係合部としての係止板部３３−１を設けるようにしても良い。なお、他の部位は本実施の形態と同一なので本実施の形態と同一番号を付すことによって詳しい説明は省略する。
【００２４】
また、窓枠本体１７の裏面に環状リブとしての環状中リブ１７ｂを設け、複層透明板１８の前面に環状中リブ１７ｂが嵌入する環状の凹溝部３２を設けるようにしたが、逆に、窓枠本体１７の裏面に環状の凹溝部３２を設け、複層透明板１８の前面にこの環状の凹溝部３２に嵌入する環状中リブ１７ｂを設けるようにしても良い。
【図面の簡単な説明】
【００２５】
【図１】本発明が適用されるパチンコ遊技機の正面図。
【図２】同窓枠を開いた状態の斜視図。
【図３】窓枠本体の裏面斜視図。
【図４】複層透明板の前面斜視図。
【図５】窓枠の裏面図。
【図６】図５のＸ−Ｘ線拡大断面図。
【図７】図５のＹ−Ｙ線拡大断面図。
【図８】複層透明板を取着する状態を示す窓枠本体の一部の拡大断面図。
【図９】他の実施の形態に係る係合部と被係合部部位の断面図。
【符号の説明】
【００２６】
５                    遊技盤
５ａ                  遊技部
１７                  窓枠本体
１７ｂ                環状リブ（環状中リブ）
１９                  窓口
２３                  係合部（係合片）
２４                  保持部（受止板）
２８                  透明板（ガラス板）
３２                  環状の凹溝部
３３                  被係合部（係合凸部）
Ｐ                    弾球遊技機（パチンコ遊技機）
【図１】
2005319219.tif 000003
【図２】
2005319219.tif 000004
【図３】
2005319219.tif 000005
【図４】
2005319219.tif 000006
【図５】
2005319219.tif 000007
【図６】
2005319219.tif 000008
【図７】
2005319219.tif 000009
【図８】
2005319219.tif 000010
【図９】
2005319219.tif 000011